(57)【要約】      （修正有）【課題】コンクリートポールの型枠用ボルト締緩装置に用いるボルトに市販品を採択でき、従来例の中空筒状のボス部及び角形の座金を不要にして、締付強度が大であり、組付け操作も簡便であるコンクリートポールの型枠用ボルト締緩装置を提供する。【解決手段】上型枠２のフランジ４の開口部上面に下部両側面を面取りした円筒体３０の上部を溶接等の手段で固設して該下方部を上型枠２のフランジ４下方へ突設し、上下型枠２，３の各フランジ４，５を合接して、該下型枠３のフランジ５に設けた開口部の下面から一般のボルト３１を螺子部を上にして挿入し、該ボルト３１を前記円筒体３０の中空部に挿入して該ボルト３１の螺子部を該円筒体３０の上面に突出させ、該螺子部にナット３１，３１を螺着することにより上下型枠２，３を緊締及び弛緩できるように構成されたことを特徴とするコンクリートポールの型枠用ボルト締緩装置を提供する。【選択図】図３
2010017978.tif 000002
【特許請求の範囲】
【請求項１】
上下型枠から成る割型枠の長手方向の合接部にフランジを設け、該上下型枠のフランジの合接部に夫々ボルト挿通を可能にするための開口部が対峙して設けられ、該開口部に設けられたボルト挿通手段を介してボルトを挿通し、ナットにて締緩できるように構成されたコンクリートポールの型枠締緩装置において、
上型枠の前記フランジの開口部上面に下部両側面を面取りした円筒体の上部を溶接等の手段で固設して該下方部を上型枠のフランジ下方へ突設し、一方、下型枠のフランジには上型枠のフランジに固設した前記円筒体の中空部に対峙すべく開口部が設けられており、上下型枠の各フランジを合接して、下型枠のフランジに設けた前記開口部と上型枠のフランジに固設した円筒体の中空部とを対峙させ、該下型枠のフランジに設けた前記開口部の下面から一般のボルトを螺子部を上にして挿入し、該ボルトを前記円筒体の中空部に挿入して該ボルトの螺子部を該円筒体の上面に突出させ、該螺子部にナットを螺着することにより上下型枠を緊締し、該ボルトを弛緩して上下型枠を離反できるように構成されたことを特徴とするコンクリートポールの型枠用ボルト締緩装置。
【請求項２】
上記ボルトは市販の頭付ボルトであって、上端部はボルト締結時に該ボルトが回動しないように面取り又は角形に形成されていることを特徴とする請求項１記載のコンクリートポールの型枠用ボルト締緩装置
【発明の詳細な説明】
【技術分野】
【０００１】
この発明は、コンクリート製品の型枠用ボルト締緩装置に関するものであり、特に、長尺の割型枠の締結及び弛緩を容易すると共に、操作を簡便にし、且つ、コストダウンを計った型枠締緩操作に用いるボルト締緩装置に関するものである。
【背景技術】
【０００２】
従来の此種コンクリートポールの型枠締緩装置は特許文献１記載のものが知られている。そこで、特許文献１記載のコンクリートポールの型枠締緩装置を図１０乃至図１９に従って説明する。尚、この従来例は本願発明の構成と密接に関連しているので、その構成を詳細に説明し、そして、本願発明の実施例の説明にも適用されるものとする。
【０００３】
図１０は型枠１全体を示す側面図、図１１は図１０の正面図である。型枠１は上型枠２と下型枠３とからなる円筒形の割型枠であり、長手方向の左右合接部に夫々フランジ４，４及び５，５が設けられている。該上型枠のフランジ４，４には所定間隔で締付ボルト６，６…が配設されており、下型枠３のフランジ５，５の下面に連結アーム７が設けられて締緩装置を構成している。尚、符号８は型枠１の外側に嵌着されている転動タイヤを示す。
【０００４】
図１２乃至図１６は上下型枠２，３が離反した状態の締緩装置の主要部を示したものであり、前述したように上型枠２のフランジ４には締付ボルト６が取付けられている。該締付ボルト６は該フランジ４に下端部を溶接して固設されたボス９に遊嵌されており、その上部は図１３に示すように一部分が角形１０に形成され、前記ボス９の上面に固着した座金１１に遊挿されている。従って、前記締付ボルト６は水平方向の回動が阻止される。更に、該締付ボルト６の上端部に螺子部１２を設け、該螺子部１２にナット１３，１３を緊締してある。又、該締付ボルト６の下部には、前記フランジ４の下面に突出し、型枠１の軸方向と平行になるように両側面の一部分に面取り部１４，１４を形成してある。尚、前記ボス９内部の空隙部１５は締付ボルト６の調整代であり、螺子部１２に螺着されているナット１３，１３を回動して該締付ボルト６を上下移動させ、前記面取り部１４，１４の高さ位置を微調整するものである。
【０００５】
一方、下型枠３のフランジ５には前記締付ボルト６の直下に貫通孔１６が開穿されており、更に、該フランジ５の下面に前述した連結アーム７を設ける。該連結アーム７は正面視逆Ｕ字状であり、フランジ５の貫通孔１６の下方部位に夫々型枠１の軸方向に円接した長孔１７が開穿されている。該長孔１７の両側孔縁部に亘ってクサビ１８が溶接されている。該クサビ１８の両側部は前記長孔１７の後部で連結されて下面視略Ｕ字状に形成され、且つ、前方（図１２において矢印Ｙ方向）に両側部が先端部に向って細くなるように該クサビ１８の下面に勾配が設けられている。更に、該連結アーム７の適宜位置に連結アーム爪１９，１９が垂設されている。又、該連結アーム７は、下型枠３の両側面に突設したブラケット２０，２０上に載置され、型枠１の下部に設けられたスライドビーム２１，２１の上面に突設したスライドビーム爪２２，２２が前記何れかの連結アーム爪１９へ係合し、該連結アーム７が前後に摺動可能となるように形成されている。然るときは、ブラケット２０の上面に固設したガイド片２３は連結アーム７の内側に遊嵌されて、該連結アーム７の案内となって摺動を円滑にしている。
【０００６】
而して、前記締付ボルト６の下部をフランジ５の貫通孔１６へ挿通しながら、上型枠２のフランジ４と下型枠３のフランジ５とを合接する。前記締付ボルト６の下部は貫通孔１６を貫通され、連結アーム７の長孔１７に及んで挿通される。然る後に、別途に設けたシリンダ等によって前記スライドビーム２１を軸方向に押圧すれば、前述したように連結アーム７が前方（図１２において矢印Ｙ方向）に移動して、前記クサビ１８が締付ボルト６の面取り部１４，１４に嵌合する。
【０００７】
斯くして、図１７乃至図１９に示すように、締付ボルト６の面取り部１４，１４と連結アーム７のクサビ１８とが強固に嵌着し、前記上型枠２と下型枠３とが締結されるのである。尚、フランジ４，５間にはパッキン２４が介装されている。而して、上記のように締結された型枠１に図１０及び図１１に示した転動タイヤ８，８…を嵌着して作業場へ運搬し、コンクリート成形を実行する。又、該シリンダを逆方向に駆動させれば、前述とは逆の手順で連結アーム７が後方（図１７において矢印Ｚ方向）に摺動し、クサビ１８が締付ボルト６の面取り部１４，１４から離脱して嵌合が外れる。依って、上型枠２を吊り上げれば下型枠３から離反して、コンクリート製品を脱型することができる。そして、前記連結アーム爪１９とスライドビーム爪２２とは、締付ボルト６と同一軸線上に設けているため、双方の爪を当接させて押圧する場合に偶力が発生することなく、連結アーム７が湾曲しにくくなるのである。
【特許文献１】特公平０４−０６４４８４号公報
【発明の開示】
【発明が解決しようとする課題】
【０００８】
上記特許文献１記載の発明は、上型枠２のフランジ４上面に中空円筒状のボス９の下端部を溶接等の手段で固設し、そして、該ボス９内に下部に面取り部１４，１４を設けた締付ボルト６を遊嵌し、更に、前記ボス９上に内側面を角形１０の中空に形成した座金１１を固着して、前記締付ボルト６を該座金１１の角形１０に適合すべく形成して該座金１１に挿入することにより、該締付ボルト６の水平方向回動を防止している。そして、該締付ボルト６の上端部に螺子部１２，１２を設け、該螺子部１２，１２にナット１３，１３を緊締して該締付ボルト６を上型枠２に固定できるように構成されている。
【０００９】
従って、締付ボルト６の製作コストが嵩み、組付費用も高価となり、且つ、十分な強度が期待できず、耐久性にも問題がある。更に、ボス９及び内側面を角形１０に形成した座金１１も必要であり、コンクリートのトロが空隙部１５に濾洩するため、該締付ボルト６を上下させ、高さ位置を微調整させるときに不具合も存在する。
【００１０】
そこで、本発明は前記締付ボルトを用いず、上記不具合を解消するために解決せられるべき技術的課題が生じてくるのであり、本発明は上記該課題を解決することを目的とする。
【課題を解決するための手段】
【００１１】
本発明は上記目的を達成するために提案されたものであり、請求項１記載の発明は、上下型枠から成る割型枠の長手方向の合接部にフランジを設け、該上下型枠のフランジの合接部に夫々ボルト挿通を可能にするための開口部が対峙して設けられ、該開口部に設けられたボルト挿通手段を介してボルトを挿通し、ナットにて締緩できるように構成されたコンクリートポールの型枠締緩装置において、
上型枠の前記フランジの開口部上面に下部両側面を面取りした円筒体の上部を溶接等の手段で固設して該下方部を上型枠のフランジ下方へ突設し、一方、下型枠のフランジには上型枠のフランジに固設した前記円筒体の中空部に対峙すべく開口部が設けられており、上下型枠の各フランジを合接して、下型枠のフランジに設けた前記開口部と上型枠のフランジに固設した円筒体の中空部とを対峙させ、該下型枠のフランジに設けた前記開口部の下面から一般のボルトを螺子部を上にして挿入し、該ボルトを前記円筒体の中空部に挿入して該ボルトの螺子部を該円筒体の上面に突出させ、該螺子部にナットを螺着することにより上下型枠を緊締し、該ボルトを弛緩して上下型枠を離反できるように構成されたことを特徴とするコンクリートポールの型枠用ボルト締緩装置を提供するものである。
【００１２】
この構成によれば、コンクリートポールの型枠用ボルト締緩装置に用いるボルトは通常のボルトが用いられ、そして、常に下型枠のフランジに設けられている開口部から該ボルトの螺子部を上にして挿入し乍ら上型枠のフランジに突設されている円筒体の中空部に挿入し乍ら、該上部型枠のフランジ上面に突出させ、そして、該ボルトの上部螺子部にナットを螺着することにより上下型枠のフランジの合接部が緊締される。又、該ナットを弛緩することにより、該ボルトは離脱し、且つ、ボルトの面取り部に係合しているクサビを離反させることにより、上下型枠も離反させることができる。
【００１３】
請求項２記載の発明は、上記ボルトは市販の頭部付ボルトであって、上端部はボルト締結時に該ボルトが回動しないように面取り又は角形に形成されていることを特徴とする請求項１記載のコンクリートポールの型枠用ボルト締緩装置を提供する。
【００１４】
この構成によれば、上記ボルトは市販の一般の頭部付きのボルトが用いられるのであるが、該ボルトの上端部が面取り等してあるので、該面取り部をレンチ等で固定することによりボルト締緩時における回動が阻止される。
【発明の効果】
【００１５】
請求項１記載の発明は、コンクリートポールの型枠用ボルト締緩装置に用いるボルトが市販のボルトを採択でき、且つ、前述の従来例の中空筒状のボス及び角形を有する座金が不要となるため、従来例に用いられている締付ボルトに比し、コストが低く、且つ、組立及び解体操作も極めて容易であり、之等操作に要する費用も安価となる。更に又、組立ての強度面も強靱となり、且つ、ボルト締結の調整範囲が大であるにも拘わらず、装置の質量も軽量となる。更に、ボルト挿通部分にトロの侵入がなく、装置全体の耐久性も期待できる等種々の効果を奏する。
【００１６】
請求項２記載の発明はコンクリートポールの型枠用ボルト締緩装置に用いるボルトが市販の通常の取付ボルトであって、且つ、先端部が例えば両側面を面取り等することにより、非円形に形成されており、この部分をレンチ等で固定することにより、ボルト締緩操作時に該ボルトのつれ廻りが防止でき、従来例のように内側面を角形に形成された座金を用いることなく、簡単にボルト締緩操作が円滑に実行されることが可能となる。
【発明を実施するための最良の形態】
【００１７】
本発明はコンクリートポールの型枠用ボルト締緩装置に用いるボルト市販の一般に用いられているボルトを採択して簡易にボルトによる上下型枠の結合及び離脱を可能にしてコストダウンを計り、且つ、装置の強靱性及び耐久性が期待できるコンクリートポールの型枠用ボルト締緩装置を得ると云う目的を達成するために、上下型枠から成る割型枠の長手方向の合接部にフランジを設け、該上下型枠のフランジの合接部に夫々ボルト挿通を可能にするための開口部が対峙して設けられ、該開口部に設けられたボルト挿通手段を介してボルトを挿通し、ナットにて締緩できるように構成されたコンクリートポールの型枠締緩装置において、上型枠の前記フランジの開口部上面に下部両側面を面取りした円筒体の上部を溶接等の手段で固設して該下方部を上型枠のフランジ下方へ突設し、一方、下型枠のフランジには上型枠のフランジに固設した前記円筒体の中空部に対峙すべく開口部が設けられており、上下型枠の各フランジを合接して、下型枠のフランジに設けた前記開口部と上型枠のフランジに固設した円筒体の中空部とを対峙させ、該下型枠のフランジに設けた前記開口部の下面から一般のボルトを螺子部を上にして挿入し、該ボルトを前記円筒体の中空部に挿入して該ボルトの螺子部を該円筒体の上面に突出させ、該螺子部にナットを螺着することにより上下型枠を緊締し、該ボルトを弛緩して上下型枠を離反できるように構成されたことを特徴とするコンクリートポールの型枠用ボルト締緩装置を提供することにより実現した。
【実施例１】
【００１８】
以下、本発明の好適な実施例を図１乃至図９に従って詳述する。尚、装置全体の機能は図１０乃至図１９に従って説明した従来例にて詳細に説明しており、且つ、本発明の装置全体の機能も本発明の特徴を除き、本質的に従来例と共通しているので、ここではその説明を省略するものとする。
【００１９】
図１は上下面を開放した円筒体３０を上型枠２のフランジ４に固設した状態を示す。該円筒体３０は市販のボルト３１を遊挿できる内径を有し、その上端部を外側に向って鍔３０ａが突設されており、該鍔３０ａを上型枠２のフランジ４に設けた開口部４ａ周縁上面に係止して該円筒体３０を前記フランジ４に設けた前記開口部４ａに挿通し乍ら該フランジ４の下方へ突設させ、そして、該円筒体３０の前記鍔３０ａを前記フランジ４に溶接等の手段によって固設する。又、該円筒体３０は図６乃至図９に示すように、その下方部の両側面に面取り部３０ｂ，３０ｂを対峙して設け、該面取り部３０ｂ，３０ｂに、従来例にて詳細に説明した通りに連結アーム７に固設したクサビ１８が係合して上型枠２と下型枠３とが強固に締結されるように構成される。又、上型枠２と下型枠３とを離反させる場合は、前記クサビ１８の係合を脱して実行されることは当然である。
【００２０】
図２は下型枠３のフランジ５に設けた開口部５ａを示す。該フランジ５の開口部５ａは上型枠２のフランジ４の開口部４ａに固設されている前記円筒体３０の内径と一致し、そして、図３に示すように上下型枠２，３を合接するとき、それぞれのフランジ４，５に設けた夫々の開口部４ａ，５ａを芯合せし乍ら、上型枠２のフランジ４の下面に突出させている前記円筒体３０を下型枠３のフランジ５の前記開口部５ａに挿通して該円筒体３０を該フランジ５の下面に突出させる。斯くして、該円筒体３０に設けた面取り部３０ｂ，３０ｂは下型枠３の下面に突出しており、後述のボルト３１を該円筒体３０に挿入してナット１３，１３にて緊締し、前述したように該面取り部３０ｂ，３０ｂに連結アーム７に固設したクサビ１８が係合して上下型枠２，３を強固に結合できるように構成されているのである。
【００２１】
図４及び図５は本発明に用いるボルト３１を示し、図４はその正面図、図５は図４のＧ−Ｇ線断面図である。該ボルト３１は市販のものを採択することができるので、従来例で説明した締付ボルト１５に比し、面取り部２３，２３を加工する必要がないため、極めてコスト的にも有利である。而して、該ボルト３１は一般のボルトと同様に頭部３１ａを有し、ボルト緊締的に該頭部３１ａが円筒体３０の下端面で係止される。又、ボルト３１の上部に設けた螺子部３１ｂの上端部はナット１３，１３にて該ボルト３１を緊締するとき、つれ廻りしないように方形又は角形３１ｃに形成され、該方形又は角形３１ｃをレンチ等を用いて固定し、前記ナット１３，１３によるボルト３１の緊締を可能にするのである。
【００２２】
そこで、該ボルト３１は図３に示すように上下の型枠２，３の各フランジ４，５が合接されて夫々の開口部４ａ及び５ａが芯合せされるとき、上型枠２のフランジ４に下方へ向って突設した円筒体３０を下型枠３のフランジ５に設けた前記開口部５ａに挿通してその下部の面取り部３０ｂ，３０ｂを該下型枠３の下面に突出させ、上部に設けた螺子部３１ｂにナット１３，１３を螺着し、且つ、該円筒体３０の面取り部３０ｂ，３０ｂに前記クサビ１８を係合させることにより、上下の型枠２，３は強固に緊締されるのである。而して、この緊締操作については従来例にて詳述した通りであるから、その説明を省略する。
【００２３】
斯くして、本発明は前述した発明の効果の項にて説明した通りの種々の著大なる効果を奏する。
【００２４】
尚、本発明は、本発明の精神を逸脱しない限り種々の改変をなすことができ、そして、本発明が該改変されたものにも及ぶことは当然である。
【図面の簡単な説明】
【００２５】
【図１】本発明の実施例を示し、上型枠のフランジに円筒体を固設した状態の縦断正面図。
【図２】下型枠のフランジに設けた開口部を示す縦断正面図。
【図３】上下型枠を合接して夫々のフランジを強固に結合した状態を示す本発明の装置の縦断正面図。
【図４】本発明に用いるボルトを示し、その正面図。
【図５】図４のＧ−Ｇ線断面図。
【図６】本発明に用いる円筒体を示し、その側面図。
【図７】図６の正面図。
【図８】図６のＡ−Ａ線断面図。
【図９】図６のＢ−Ｂ線断面図。
【図１０】従来例を示し、締緩装置全体の側面図。
【図１１】図１０の正面図。
【図１２】従来例の型枠を離反した状態の締緩装置の要部を示す側面図。
【図１３】図１２のＡ−Ａ線断面図。
【図１４】図１３のＤ−Ｄ線断面図。
【図１５】図１２のＢ−Ｂ線断面図。
【図１６】図１２のＣ−Ｃ線断面図。
【図１７】従来例の型枠が合接した状態の締緩装置の要部を示す側面図。
【図１８】図１７のＥ−Ｅ線断面図。
【図１９】図１８のＦ−Ｆ線断面図。
【符号の説明】
【００２６】
１          型枠
２          上型枠
３          下型枠
４          上型枠のフランジ
４ａ        上型枠のフランジに設けた開口部
５          下型枠のフランジ
５ａ        下型枠のフランジに設けた開口部
３０        円筒体
３０ａ      鍔
３０ｂ      面取り部
３１        ボルト
３１ａ      頭部
３１ｂ      螺子部
３１ｃ      角形部
【図１】
2010017978.tif 000003
【図２】
2010017978.tif 000004
【図３】
2010017978.tif 000005
【図４】
2010017978.tif 000006
【図５】
2010017978.tif 000007
【図６】
2010017978.tif 000008
【図７】
2010017978.tif 000009
【図８】
2010017978.tif 000010
【図９】
2010017978.tif 000011
【図１０】
2010017978.tif 000012
【図１１】
2010017978.tif 000013
【図１２】
2010017978.tif 000014
【図１３】
2010017978.tif 000015
【図１４】
2010017978.tif 000016
【図１５】
2010017978.tif 000017
【図１６】
2010017978.tif 000018
【図１７】
2010017978.tif 000019
【図１８】
2010017978.tif 000020
【図１９】
2010017978.tif 000021